(57)【要約】【課題】  競技前の準備のためグランドにおいて白線を引く場合に、ライン引き本体を運び易くして手振れをすること事無く、簡単に綺麗な直線を引いたり綺麗な円を引いたり出来るようにする事を課題としたものである。【解決手段】ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を回動可能に軸支し、この回転板４に取り付けた車軸８の両端部に車輪１、１を回転自在に軸支し、且つ車軸８又は１８の進行方向に対する角度を所望の位置に固定するためのストッパー１０を配設したことである。【選択図】    図１
2006305027.tif 000002
【特許請求の範囲】
【請求項１】
ライン引き本体両側面（１６、１７）又は後面（１９）の上部に二本のフレーム（２、２）の上端部をそれぞれ回動自在に軸支し、この二本のフレーム（２、２）の下端部の間に平板（３）を略水平に差し渡して設け、この平板（３）の長手方向中心に設けた穴（７）に、回転板（４）の中心に立設した軸（６）を下から嵌めて回動可能に軸支し、この回転板（４）に車軸（８）を取り付けこの車軸（８）が回転板（４）の外側に突出している突出部（９、９）の両端部に車輪（１、１）を回転自在に軸支するか、又は回転板（４）の両端部の下方に軸受け（５、５）を取り付け、この軸受け（５、５）に一本の車軸（１８）を通しこの車軸（１８）が両軸受け（５、５）の外側に突出している突出部（９、９）に車輪（１、１）を固定するか又は回転自在に軸支し、且つ車軸（８又は１８）の進行方向に対する角度を所望の位置に軸（６）を固定するためのストッパー（１０）を配設したことを特徴とするライン引き。
【請求項２】
ライン引き本体両側面（１６、１７）又は後面（１９）の下部に二本のフレーム（１２、１２）の先端部を固定して取り付け、この二本のフレーム（１２、１２）の後端部の間に平板（３）を略水平に差し渡して設け、この平板（３）の長手方向中心に設けた穴（７）に回転板（４）の中心に立設した軸（６）を下から嵌めて回動可能に軸支し、この回転板（４）に車軸（８）を取り付けこの車軸（８）が回転板（４）の外側に突出している突出部（９、９）の両端部に車輪（１、１）を回転自在に軸支するか、又は回転板（４）の両端部の下方に軸受け（５、５）を取り付け、この軸受け（５、５）に一本の車軸（１８）を通しこの車軸（１８）が両軸受け（５、５）の外側に突出している突出部（９、９）に車輪（１、１）を固定するか又は回転自在に軸支し、且つ車軸（８又は１８）の進行方向に対する角度を所望の位置に軸（６）を固定するためのストッパー（１０）を配設したことを特徴とするライン引き。
【請求項３】
ライン引き本体両側面（１６、１７）又は後面（１９）の下部に同一長さの二本のフレーム（１２、１２）の先端部を固定して取り付け、このフレーム（１２、１２）の後端部に、それぞれ同一長さの二本のフレーム（２２、２２）の先端部をそれぞれ屈曲自在に連結し、この二本のフレーム（２２、２２）の後端部の間に平板（３）を略水平に差し渡して設け、この平板（３）の長手方向中心に設けた穴（７）に回転板（４）の中心に立設した軸（６）を下から嵌めて回動可能に軸支し、この回転板（４）に車軸（８）を取り付けこの車軸（８）が回転板（４）の外側に突出している突出部（９、９）の両端部に車輪（１、１）を回転自在に軸支するか、又は回転板（４）の両端部の下方に軸受け（５、５）を取り付け、この軸受け（５、５）に一本の車軸（１８）を通しこの車軸（１８）が両軸受け（５、５）の外側に突出している突出部（９、９）に車輪（１、１）を固定するか又は回転自在に軸支し、且つ車軸（８又は１８）の進行方向に対する角度を所望の位置に軸（６）を固定するためのストッパー（１０）を配設したことを特徴とするライン引き。
【請求項４】
ライン引き本体両側面（１６、１７）又は後面（１９）の下部に二本のフレーム（１２、１２）の先端部を固定して取り付け、この二本のフレーム（１２、１２）の後端部の間に平板（３）を略水平に差し渡して設け、この平板（３）の長手方向中心に設けた穴（７）に、回転板（１４）の中心に垂直に固定したハンドル軸（２１）を下から嵌めて回動可能に軸支し、この回転板（１４）に車軸（８）を取り付けこの車軸（８）が回転板（１４）の外側に突出している突出部（９、９）の両端部に車輪（１、１）を回転自在に軸支するか、又は回転板（１４）の両端部の下方に軸受け（５、５）を取り付け、この軸受け（５、５）に一本の車軸（１８）を通しこの車軸（１８）が両軸受け（５、５）の外側に突出している突出部（９、９）に車輪（１、１）を固定するか又は回転自在に軸支し、上記ハンドル軸（２１）の上方に回転板（１４）と平行にしてハンドル（２４）を設け、さらにハンドル軸２１の上部に軸受け１５を設けて回動自在に軸支し、この軸受け（１５）に一本又はそれぞれ同一長さの二本の補助フレーム（２３、２３）の後端部を取り付け、この一本又は二本の補助フレーム（２３、２３）の先端部をライン引き本体両側面（１６、１７）又は後面（１９）の上部に取り付け、且つ車軸（８又は１８）の進行方向に対する角度を所望の位置にハンドル軸（２１）固定するためのストッパー（２０）を配設したことを特徴とするライン引き。
【発明の詳細な説明】
【技術分野】
【０００１】
本発明は、グランドに於いてライン引きを使用し、各種競技を行うための白線を引く方法に関するものである。
【背景技術】
【０００２】
グランドにおいて各種競技をする前に、その競技用の白線を引く必要がある。この白線は殆んど直線であるが円や数字や印などを引く場合もある。従来使用している２車輪のライン引きは、人が前方に押しながら白線を引くものである。それは２車輪であるために線を引いている時は、左右に手振れを起こし直線が微妙に曲がるのが普通である。また、４車輪のライン引きも使用されているが、直線専用であり本体が大きく小回りが利き難くいので、円や数字や印を引くには適していない。出願人が先に取得している特許第３５２１０８４号は、ライン引きの両側面にフレームの一方端部を回動自在に軸支し、フレームの他方端部に設けた軸に二個の車輪を回動自在に軸支したライン引きである。このライン引きも直線は引き易いが、円は引き難いと言う問題点がある。
【０００３】
【特許文献１】特許第３５２１０８４号
【発明の開示】
【発明が解決しようとする課題】
【０００４】
競技の準備をする前にライン引きを使用して白線を引くのであるが、ライン引きの箱の中に粉を一杯に入れて粉の出口を閉じた状態では車輪が回転しなくなるので、白線を引く場所まではライン引きを持ち上げて運ばなければならない。そして白線を引く時は計測した巻尺の横を平行に白線を引いて行くのであるが、ライン引きが２車輪であるため手振れをして直線を綺麗に真直ぐ引くことは難しく、巻尺７の上にその粉がのって巻尺を汚すことがよくある。円を引く場合も同様に手振れをして綺麗には引き難いものである。
【０００５】
本発明は、競技前の準備のためグランドにおいて白線を引く場合に、ライン引き本体を運び易くして手振れをすること事無く、簡単に綺麗な直線を引いたり綺麗な円を引いたり出来るようにする事を課題としたものである。
【課題を解決するための手段】
【０００６】
そこで、本発明の請求項１記載のライン引き（以下、本発明１と言う）は、ライン引き本体両側面１６、１７又は後面１９の上部に二本のフレーム２、２の上端部をそれぞれ回動自在に軸支し、この二本のフレーム２、２の下端部の間に平板３を略水平に差し渡して設け、この平板３の長手方向中心に設けた穴７に、回転板４の中心に立設した軸６を下から嵌めて回動可能に軸支し、この回転板４に車軸８を取り付けこの車軸８が回転板４の外側に突出している突出部９、９の両端部に車輪１、１を回転自在に軸支するか、又は回転板４の両端部の下方に軸受け５、５を取り付け、この軸受け５、５に一本の車軸１８を通しこの車軸１８が両軸受け５、５の外側に突出している突出部９、９に車輪１、１を固定するか又は回転自在に軸支し、且つ車軸８又は１８の進行方向に対する角度を所望の位置に軸６を固定するためのストッパー１０を配設したことを特徴としている。
【０００７】
本発明１で言う平板３及び回転板４の形状は円形、楕円形、長方形など特に限定するものではなく、また大きさも限定するものではない。そして図６に示すようにストッパー１０としてはレバー又はノブを使用し、軸６としてはボルト２５を取り付けこのボルト２５を締め付けて回転板４を固定することが出来る。また回転板４にナットを取り付けボルト２５付レバーで締め付けることも出来る。一本の車軸８は二本にして回転板４の両端部に取り付けることも出来る。また一本の車軸１８も複数個の軸受け５、５・・・を取り付けることによって二本にすることも出来る。二本のフレーム２、２をライン引き本体後面１９に取り付ける場合は、図８に示すように二個の支持板１１、１１でフレーム２、２を挟むように設け、支持軸１３を通して回動自在に取り付けることが出来る。また蝶番を取り付けることによって回動自在にすることも出来る。
【０００８】
かかる構成により、図１に示すように本発明１は４車輪のライン引きとして進行方向に真直ぐ進むことが出来る。ライン引き本体両側面１６、１７にフレーム２、２を回動自在に取り付けることによって、ライン引き本体を運ぶ時は図７−１に示すようにライン引き本体を車軸８又は１８の上に乗せることが出来る。ライン引きを置いている時は図７−２に示すように二本のフレーム２、２はライン引き本体側に引き寄せることが出来る。そして図５、図６に示しているように進行方向に対して回転板４の角度を変えてストッパー１０で固定することによって、４車輪のライン引きとして円を引くことが出来るものである。
【０００９】
本発明の請求項２記載のライン引き（以下、本発明２と言う）は、ライン引き本体両側面１６、１７又は後面１９の下部に二本のフレーム１２、１２の先端部を固定して取り付け、この二本のフレーム１２、１２の後端部の間に平板３を略水平に差し渡して設け、この平板３の長手方向中心に設けた穴７に回転板４の中心に立設した軸６を下から嵌めて回動可能に軸支し、この回転板４に車軸８を取り付けこの車軸８が回転板４の外側に突出している突出部９、９の両端部に車輪１、１を回転自在に軸支するか、又は回転板４の両端部の下方に軸受け５、５を取り付け、この軸受け５、５に一本の車軸１８を通しこの車軸１８が両軸受け５、５の外側に突出している突出部９、９に車輪１、１を固定するか又は回転自在に軸支し、且つ車軸８又は１８の進行方向に対する角度を所望の位置に軸６を固定するためのストッパー１０を配設したことを特徴としている。
【００１０】
かかる構成により、図９に示すように本発明２は４車輪のライン引きとして進行方向に真直ぐ進むことが出来る。ライン引き本体両側面１６、１７又は後面１９の下部にフレーム１２、１２を固定して取り付け、進行方向に対して回転板４の角度を変えて図５、図６に示しているようにストッパー１０で固定することによって、４車輪のライン引きとして円を引くことが出来る。そしてライン引き本体を運ぶ時や方向転換する時は図１０に示しているようにしてライン引き本体を浮かせて移動することが出来るものである。
【００１１】
本発明の請求項３記載のライン引き（以下、本発明３と言う）は、ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を下から嵌めて回動可能に軸支し、この回転板４に車軸８を取り付けこの車軸８が回転板４の外側に突出している突出部９、９の両端部に車輪１、１を回転自在に軸支するか、又は回転板４の両端部の下方に軸受け５、５を取り付け、この軸受け５、５に一本の車軸１８を通しこの車軸１８が両軸受け５、５の外側に突出している突出部９、９に車輪１、１を固定するか又は回転自在に軸支し、且つ車軸８又は１８の進行方向に対する角度を所望の位置に軸６を固定するためのストッパー１０を配設したことを特徴としている。
【００１２】
かかる構成により、図１１に示すように本発明３は４車輪のライン引きとして進行方向に真直ぐ進むことが出来る。ライン引き本体両側面１６、１７又は後面１９の下部にフレーム１２、１２を固定して取り付け、このフレーム１２、１２の後端部に、フレーム２２、２２の先端部を屈曲自在に取り付けることによって、ライン引き本体を運ぶ時は図１２−１に示すようにライン引き本体を車軸８又は１８の上に乗せることが出来る。ライン引きを置いている時は図１２−２に示すように二本のフレーム２２、２２は屈曲してライン引き本体側に引き寄せることが出来る。またライン引きを方向転換する時は図１２−３に示すようにライン引き本体を浮かせて移動することが出来る。そして進行方向に対して回転板４の角度を変えて図５、図６に示しているようにストッパー１０で固定することによって、４車輪のライン引きとして円形の白線を引くことが出来る。
【００１３】
本発明の請求項４記載のライン引き（以下、本発明４と言う）は、ライン引き本体両側面１６、１７又は後面１９の下部に二本のフレーム１２、１２の先端部を固定して取り付け、この二本のフレーム１２、１２の後端部の間に平板３を略水平に差し渡して設け、この平板３の長手方向中心に設けた穴７に、回転板１４の中心に垂直に固定したハンドル軸２１を下から嵌めて回動可能に軸支し、この回転板１４に車軸８を取り付けこの車軸８が回転板１４の外側に突出している突出部９、９の両端部に車輪１、１を回転自在に軸支するか、又は回転板１４の両端部の下方に軸受け５、５を取り付け、この軸受け５、５に一本の車軸１８を通しこの車軸１８が両軸受け５、５の外側に突出している突出部９、９に車輪１、１を固定するか又は回転自在に軸支し、上記ハンドル軸２１の上方に回転板１４と平行にしてハンドル２４を設け、さらにハンドル軸２１の上部に軸受け１５を設けて回動自在に軸支し、この軸受け１５に一本又はそれぞれ同一長さの二本の補助フレーム２３、２３の後端部を取り付け、この一本又は二本の補助フレーム２３、２３の先端部をライン引き本体両側面１６、１７又は後面１９の上部に取り付け、且つ車軸８又は１８の進行方向に対する角度を所望の位置にハンドル軸２１固定するためのストッパー２０を配設したことを特徴としている。
【００１４】
本発明４のストッパー２０としてはレバー又はノブを使用している。このストッパー２０の締め付け方法は、図１４に示すようにハンドル軸２１の上方にハンドル２４を固定して取り付け、このハンドル２４とストッパー２０との間に軸受け１５を挟むようにして設け、ストッパー２０でハンドル軸２１のボルト２５を締め付けて固定することが出来る。
【００１５】
かかる構成により、図１４に示すように本発明４は４車輪のライン引きとして進行方向に真直ぐ進むことが出来る。ハンドル軸２１の上端にハンドル２４を固定して取り付けることによって、人が立った状態でハンドル２４を回して回転板２４の角度を変えハンドル軸２１の上端に取り付けたストッパー２０でハンドル２４を所望の位置に固定することが出来るので、４車輪のライン引きとして円を引くことが出来る。そしてライン引き本体を運ぶ時は図１５に示すようにライン引き本体を浮かせて移動することが出来るものである。
【発明の効果】
【００１６】
本発明１の効果として、図１に示すように本発明１のライン引き本体両側面１６、１７又は後面１９に回動自在に取り付けたフレーム２、２の下端に回動自在に設けた回転板４に、車輪１、１を車軸１８の両端に固定し回転板に取り付けた軸受け５、５に回転自在に軸支した場合は直進性のより良い４車輪のライン引きとなり、車輪１、１を車軸８又は１８の両端に回転自在に軸支した場合は、方向転換性の良い４車輪のライン引きとして安定して真直ぐな直線を引くことが出来る。そして平板３に回動自在に軸支した回転板４の角度を変えてストッパー１０で所望に位置に固定することによって、４車輪のライン引きとして様々な大きさの円を引くことが出来る。また図７−１に示すように粉を入れて重くなったライン引き本体を車軸８又は１８の上に乗せてハンドルを引っ張って運ぶことが出来るものであり、ライン引きを置いている時は図７−２に示すように車輪１、１をライン引き本体側に引き寄せてコンパクトにして置くことが出来るものである。
【００１７】
本発明２の効果として、図９に示すように本発明２のライン引き本体両側面１６、１７又は後面１９に固定して取り付けたフレーム１２、１２の後端部に回動自在に設けた回転板４に、車輪１、１を車軸１８の両端に固定し、回転板４に取り付けた軸受け５、５に回転自在に軸支した場合は直進性のより良い４車輪のライン引きとなり、車輪１、１を車軸８又は１８の両端に回転自在に軸支した場合は、方向転換性の良い４車輪のライン引きとして安定して真直ぐな直線を引くことが出来る。そして平板１３に回動自在に軸支した回転板４の角度を変えてストッパー１０で所望に位置に固定することによって、４車輪のライン引きとして様々な大きさの円を引くことが出来る。また図１０に示すようにライン引き本体を浮かせて移動することが出来るので、連続して白線を引く時には簡単に方向転換をすることが出来るものである。
【００１８】
本発明３の効果として、図１１に示すように本発明３のライン引き本体両側面１６、１７又は後面１９の下部に固定して取り付けたフレーム１２、１２の後端部に、屈曲自在に取り付けたフレーム２２、２２の後端部に回動自在に設けた回転板４に、車輪１、１を車軸１８の両端に固定し、軸受け５、５に回転自在に軸支した場合は直進性のより良い４車輪のライン引きとなり、車輪１、１を車軸８又は１８の両端に回転自在に軸支した場合は、方向転換性の良い４車輪のライン引きとして安定して真直ぐな直線を引くことが出来る。そして平板３に回動自在に軸支した回転板４の角度を変えてストッパー１０で所望に位置に固定することによって、４車輪のライン引きとして様々な大きさの円を引くことが出来る。また粉を入れて重くなったライン引き本体は、図１２−１に示すように屈曲したフレーム２２、２２に取り付けた車軸８又は１８の上に乗せてハンドルを引っ張って運ぶことが出来るものであり、ライン引きを置いている時は図１２−２に示すように車輪１、１をライン引き本体側に引き寄せて置くことが出来る。また図１２−３に示すようにライン引き本体を浮かせて移動することが出来るので、連続して白線を引く時も簡単に方向転換をすることが出来るものである。
【００１９】
本発明４の効果として、図１３に示すように本発明４のライン引き本体両側面１６、１７又は後面１９の下部に固定して取り付けたフレーム１２、１２の後端部に設けた回転板１４の中心に立設したハンドル軸２１の上端にハンドル２４を固定して取り付けることによって、人が立った状態でハンドル２４を回して回転板１４の角度を変えハンドル軸２１の上端に取り付けたストッパー２０でハンドル２４を所望の位置に固定することによって、４車輪のライン引きとして様々な大きさの円を引くことが出来る。そして車輪１、１を車軸１８の両端に固定し、回転板１４に取り付けた軸受け５、５に回転自在に軸支した場合は直進性のより良い４車輪のライン引きとなり、車輪１、１を車軸８又は１８の両端に回転自在に軸支した場合は、方向転換性の良い４車輪のライン引きとして安定して真直ぐな直線を引くことが出来る。また図１５に示すようにライン引き本体を浮かせて移動することが出来るので、連続して白線を引く時も簡単に方向転換をすることが出来るものである。
【発明を実施するための最良の形態】
【００２０】
ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を下から嵌めて回動可能に軸支し、この回転板４に車軸８を取り付けこの車軸８が回転板４の外側に突出している突出部９、９の両端部に車輪１、１を回転自在に軸支するか、又は回転板４の両端部の下方に軸受け５、５を取り付け、この軸受け５、５に一本の車軸１８を通しこの車軸１８が両軸受け５、５の外側に突出している突出部９、９に車輪１、１を固定するか又は回転自在に軸支し、且つ車軸８又は１８の進行方向に対する角度を所望の位置に軸６を固定するためのストッパー１０を配設したことである。
【実施例１】
【００２１】
実施の形態の一例として、図１、図３、図８は本発明１のライン引きの斜視図を示している。ライン引き本体両側面１６、１７又は後面１９の上部に二本のフレーム２、２の上端部をそれぞれ回動自在に軸支し、この二本のフレーム２、２の下端部の間に平板３を略水平に差し渡して設け、この平板３の長手方向中心に設けた穴７に、回転板４の中心に立設した軸６を下から嵌めて回動可能に軸支し、この回転板４に車軸８を取り付けこの車軸８が回転板４の外側に突出している突出部９、９の両端部に車輪１、１を回転自在に軸支するか、又は回転板４の両端部の下方に軸受け５、５を取り付け、この軸受け５、５に一本の車軸１８を通しこの車軸１８が両軸受け５、５の外側に突出している突出部９、９に車輪１、１を固定するか又は回転自在に軸支し、且つ車軸８又は１８の進行方向に対する角度を所望の位置に軸６を固定するためのストッパー１０を配設したことで構成されている。
【００２２】
図１、図２に示している本発明１は、ライン引き本体両側面１６、１７にフレーム２、２の上端部を回動自在に軸支し、このフレーム２、２の下端部に取り付けた平板３の穴７に回転板４の中心に立設した軸６を挿入し、この回転板４に車軸８を固定して取り付け、この車軸８に車輪１、１を回転自在に設けていることによって、左右の車輪１、１は互いに自由に回転することが出来るので、内車輪１と外車輪１との回転数が異なる円を引く時には方向転換性が良くなり綺麗な円を引くことが出来る。またライン引き本体の車輪の幅より車輪１、１の幅を広く設けているので、直線を引く時も安定した真直ぐな直線も綺麗に引くことが出来る。図３、図４に示している本発明１は、回転板４の両端部の下方に取り付けた軸受け５、５に一本の車軸１８を通し、この車軸１８の両端に車輪１、１を固定して取り付けるか又は回転自在に軸支したものである。車輪１、１を固定した場合は左右の車輪１、１は同時に回転するので、直進性が特に良くなり真直ぐな直線を引くことが出来る。また回転自在に軸支した場合も車輪１、１の幅を広く設けているので、安定して円も直線も綺麗に引くことが出来る。
【００２３】
図５はフレーム２、２の下端部に取り付けた平板３の下面に回転自在に設けた回転板４の角度を変えてストッパー１０で固定した状態を示している。固定する方法としては、図６に示すように平板３を回転板４とストッパー１０で挟み、軸６に取り付けたボルト２５をストッパー１０として使用しているレバーで締め付けて回転板４を固定することが出来る。固定することによって一定方向に向いた車輪１、１で綺麗な円を引くことが出来る。
【００２４】
図７−１に示しているのはライン引き本体を運ぶ状態であり、図７−２の状態から車輪１、１が動かないようにしてライン引きのハンドルを進行方向に引っぱり、ライン引き本体を車軸８又は１８の上に乗せて運ぶことが出来る。これによって粉を満杯にしたライン引きを離れた場所にある倉庫からグランドまで運ぶ時に便利に使用することが出来る。図７−２に示しているのはライン引き本体を前面に取り付けたスタンドで立っている状態であり、フレーム２，２はライン引き本体側に寄ってコンパクトにして置くことが出来る。
【００２５】
実施の形態の一例としてライン引き本体後面１９に二本のフレーム２、２を回動自在に取り付ける別の方法としては、図８に示すように二本のフレーム２、２の上端部の両外側側面に接触させて立設した支持板１１、１１に設けた穴と両フレーム２、２の上端部に設けた穴に支持軸１３、１３を通し回動自在に設ける方法と、二本のフレーム２、２の上端部に蝶番の一方の平板部を取り付け、この蝶番の他方の平板部をライン引き本体後面１７に取り付けて回動自在に設ける方法とがある。
【００２６】
本発明１は簡単に２車輪のライン引き本体に取り付けることが出来る。実施の形態の一例として、フレーム２の仕様は厚み３ｍｍ、幅３．２ｃｍ、長さ４０ｃｍの鉄製のフラッバーを使用し、水平に対して５５°の角度で取り付け内側だけに回動するようにしている。平板３は厚み３ｍｍ、幅３．２ｃｍ、長さ１３ｃｍのフラットバーを使用し、回転板４は厚み３ｍｍ、幅３．２ｃｍ、長さ２４ｃｍのフラットバーを使用し、軸受け５は厚み３ｍｍ、幅３．２ｃｍ、長さ３ｃｍのフラットバーの中心に１０ｍｍの穴を開け回転板４の両端辺に垂直に溶接している。車軸８は直径１０ｍｍ、長さ３２ｃｍのシャフトを使用し、車輪１、１はライン引き本体と同種類のものを取り付けている。軸６は１０ｍｍのボルト２５を取り付け、ストッパー１０は鍋屋バイテック会社NBKのLEF−１０合成樹脂製のレバーで締め付けるようにしている。このように製作したライン引きで直線を引いたところ安定した真直ぐな直線を引くことが出来た。また回転板４の角度を変えてレバーで固定してライン引きを押した場合も綺麗に円を簡単に引くことが出来た。平板３と回転板４に円の大きさを表示する目盛りを付けることによって簡単に同じ大きさの円を引くことも出来た。
【実施例２】
【００２７】
実施の形態の一例として、図９は本発明２のライン引きの斜視図を示している。ライン引き本体両側面１６、１７又は後面１９の下部に二本のフレーム１２、１２の先端部を固定して取り付け、この二本のフレーム１２、１２の後端部の間に平板３を略水平に差し渡して設け、この平板３の長手方向中心に設けた穴７に回転板４の中心に立設した軸６を下から嵌めて回動可能に軸支し、この回転板４に車軸８を取り付けこの車軸８が回転板４の外側に突出している突出部９、９の両端部に車輪１、１を回転自在に軸支するか、又は回転板４の両端部の下方に軸受け５、５を取り付け、この軸受け５、５に一本の車軸１８を通しこの車軸１８が両軸受け５、５の外側に突出している突出部９、９に車輪１、１を固定するか又は回転自在に軸支し、且つ車軸８又は１８の進行方向に対する角度を所望の位置に軸６を固定するためのストッパー１０を配設したことで構成されている。
【００２８】
図９に示しているのはライン引き本体両側面１６、１７又は後面１９の下部にフレーム１２、１２を固定して取り付けた平板３の穴７に回転板４の中心に立設した軸６を挿入し、この回転板４の両端の下方に軸受け５、５を取り付け、この軸受け５、５に車軸１８を固定するか又は回動自在に設けたものである。また回転板４の下面に車軸８を固定して取り付け、この車軸８の両端に車輪１、１を回転自在に設けることも出来る。本発明２はライン引き本体の下部にフレーム１２、１２を固定して設けている点が構造的に実施例１とは異なっているが、本発明２のライン引きの使用方法は実施例１と同様である。
【００２９】
本発明２のライン引き本体の下部に固定して設けたフレーム１２、１２の使用方法は、図１０に示しているように粉を入れて重くなったライン引き本体を、運ぶ時や連続して白線を引く時に方向転換させるためにライン引き本体を浮かせて使用することが出来るものである。実施の形態の一例としてフレーム１２の仕様は厚み３ｍｍ、幅３．２ｃｍ、長さ２２ｃｍの鉄製のフラッバーを使用し、平板３は厚み３ｍｍ、幅３．２ｃｍ、長さ１３ｃｍのフラットバーを使用している。そして回転板４に取り付けた各部位の寸法、材質は実施例１と同様である。
【実施例３】
【００３０】
実施の形態の一例として、図１１は本発明３のライン引きの斜視図を示している。ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を下から嵌めて回動可能に軸支し、この回転板４に車軸８を取り付けこの車軸８が回転板４の外側に突出している突出部９、９の両端部に車輪１、１を回転自在に軸支するか、又は回転板４の両端部の下方に軸受け５、５を取り付け、この軸受け５、５に一本の車軸１８を通しこの車軸１８が両軸受け５、５の外側に突出している突出部９、９に車輪１、１を固定するか又は回転自在に軸支し、且つ車軸８又は１８の進行方向に対する角度を所望の位置に軸６を固定するためのストッパー１０を配設したことで構成されている。
【００３１】
図１１に示しているのは本発明３のライン引き本体両側面１６、１７又は後面１９の下部に固定して取り付けたフレーム１２、１２の後端部に、屈曲自在に取り付けたフレーム２２、２２の後端部に回動自在に設けた回転板４の両端に軸受け５、５取り付け、この軸受け５、５に車軸１８を固定するか又は回動自在に設けたものである。また回転板４の下面に車軸８を固定して取り付け、この車軸８の両端に車輪１、１を回転自在に設けている。本発明３はフレーム１２、１２の後端部に屈曲自在にフレーム２２、２２を設けている点が構造的に実施例２とは異なっているが、本発明３のライン引きの使用方法は実施例２と同様である。
【００３２】
本発明３の屈曲自在に設けたフレーム２２、２２の使用方法は、図１２−１に示すように粉を入れて重くなったライン引き本体を屈曲させたフレーム２２、２２の車軸８又は１８の上に乗せてハンドルを引っ張って運ぶことが出来る。ライン引きを置いている時は図１２−２に示すようにフレーム２２、２２を屈曲させて車輪１、１をライン引き本体側に引き寄せることが出来る。また連続して白線を引く時は図１２−３に示すようにフレーム２２、２２を伸ばした状態でライン引き本体を浮かせて簡単に方向転換することが出来るものである。
【００３３】
実施の形態の一例として、フレーム１２の仕様は厚み３ｍｍ、幅３．２ｃｍ、長さ１５ｃｍの鉄製のフラッバーを使用し、フレーム２２は厚み３ｍｍ、幅３．２ｃｍ、長さ１５ｃｍの鉄製のフラッバーを使用し、フレーム１２とフレーム２２は８ｍｍのシャフトで軸支している。平板３は厚み３ｍｍ、幅３．２ｃｍ、長さ１３ｃｍのフラットバーを使用している。そして回転板４に取り付けた各部位の寸法、材質は実施例２と同様である。
【実施例４】
【００３４】
実施の形態の一例として、図１３は本発明４のライン引きの斜視図を示している。ライン引き本体両側面１６、１７又は後面１９の下部に二本のフレーム１２、１２の先端部を固定して取り付け、この二本のフレーム１２、１２の後端部の間に平板３を略水平に差し渡して設け、この平板３の長手方向中心に設けた穴７に、回転板１４の中心に垂直に固定したハンドル軸２１を下から嵌めて回動可能に軸支し、この回転板１４に車軸８を取り付けこの車軸８が回転板１４の外側に突出している突出部９、９の両端部に車輪１、１を回転自在に軸支するか、又は回転板１４の両端部の下方に軸受け５、５を取り付け、この軸受け５、５に一本の車軸１８を通しこの車軸１８が両軸受け５、５の外側に突出している突出部９、９に車輪１、１を固定するか又は回転自在に軸支し、上記ハンドル軸２１の上方に回転板１４と平行にしてハンドル２４を設け、さらにハンドル軸２１の上部に軸受け１５を設けて回動自在に軸支し、この軸受け１５に一本又はそれぞれ同一長さの二本の補助フレーム２３、２３の後端部を取り付け、この一本又は二本の補助フレーム２３、２３の先端部をライン引き本体両側面１６、１７又は後面１９の上部に取り付け、且つ車軸８又は１８の進行方向に対する角度を所望の位置にハンドル軸２１固定するためのストッパー２０を配設したことで構成されている。
【００３５】
図１３に示すようにライン引き本体両側面１６、１７又は後面１９の下部にフレーム１２、１２を固定して取り付けた平板３の穴７に、回転板１４の中心に略垂直に固定したハンドル軸２１を回動可能に軸支し、この回転板１４に車軸８を固定して取り付け、車輪１、１を回転自在に設けていることによって、左右の車輪１、１は互いに自由に回転することが出来るので、方向転換性が良く真直ぐな直線を綺麗に引くことが出来る。また回転板４の両端部の下方に取り付けた軸受け５、５に一本の車軸１８を通し、この車軸１８の両端に固定することによって、左右の車輪１、１は同時に回転するので、直進性がより良くなり真直ぐな直線を引くことが出来る。また回転板１４の角度を変える時は図１４に示しているように人が立った状態でストッパー２０を回すことが出来るので、簡単に４車輪のライン引きとして円を引くことが出来る。そしてライン引き本体を運ぶ時や方向転換する時に図１５に示しているようにしてライン引き本体を浮かせて移動することが出来るものである。
【００３６】
実施の形態の一例として、本発明４は回転板１４の中心に直径１２ｍｍの長さ３２ｃｍの鉄製のハンドル軸２１を垂直に固定し、ハンドル軸２１の上方に長さ２０ｃｍのハンドル２４を設け、さらにライン引き本体上部に先端を固定して設けた１２ｃｍの長さ補助フレーム２３の後端に軸受け１５を設け、この軸受け１５にハンドル軸２１を回動自在に設け、このハンドル軸２１の上部に設けたストッパー２０は鍋屋バイテック会社NBKのLEF−１２のレバーで締め付けるようにして設けている点が構造的に実施例１〜３とは異なっているが、回転板１４に取り付けた各部位の寸法、材質等は実施例１と同様である。
【図面の簡単な説明】
【００３７】
【図１】本発明１の実施の形態の一例を示す斜視図である。
【図２】本発明１の背面図である。
【図３】本発明１の実施の形態の一例を示す斜視図である。
【図４】本発明１の背面図である。
【図５】本発明１〜３の使用説明図である。
【図６】本発明１〜３の使用説明図である。
【図７】本発明１の使用説明図である。
【図８】本発明１の実施の形態の一例を示す斜視図である。
【図９】本発明２の実施の形態の一例を示す斜視図である。
【図１０】本発明２の使用説明図である。
【図１１】本発明３の実施の形態の一例を示す斜視図である。
【図１２】本発明３の使用説明図である。
【図１３】本発明４の実施の形態の一例を示す斜視図である。
【図１４】本発明４の使用説明図である。
【図１５】本発明４の使用説明図である。
【符号の説明】
【００３８】
１    車輪
２    フレーム
３    平板
４    回転板
５    軸受け
６    軸    
７    穴  
８    車軸
９    突出部
１０  ストッパー
１１  支持板
１２  フレーム
１３  支持軸
１４  回転板
１５  軸受け
１６  側面
１７  側面
１８  車軸
１９  後面
２０  ストッパー
２１  ハンドル軸
２２  フレーム
２３  補助フレーム
２４  ハンドル
２５  ボルト
【図１】
2006305027.tif 000003
【図２】
2006305027.tif 000004
【図３】
2006305027.tif 000005
【図４】
2006305027.tif 000006
【図５】
2006305027.tif 000007
【図６】
2006305027.tif 000008
【図７】
2006305027.tif 000009
【図８】
2006305027.tif 000010
【図９】
2006305027.tif 000011
【図１０】
2006305027.tif 000012
【図１１】
2006305027.tif 000013
【図１２】
2006305027.tif 000014
【図１３】
2006305027.tif 000015
【図１４】
2006305027.tif 000016
【図１５】
2006305027.tif 000017
【手続補正書】
【提出日】平成17年7月21日(2005.7.21)
【手続補正１】
【補正対象書類名】特許請求の範囲
【補正対象項目名】全文
【補正方法】変更
【補正の内容】
【特許請求の範囲】
【請求項１】
ライン引き本体両側面（１６、１７）又は後面（１９）の下部に同一長さの二本のフレーム（１２、１２）の先端部を固定して取り付け、このフレーム（１２、１２）の後端部に、それぞれ同一長さの二本のフレーム（２２、２２）の先端部をそれぞれ屈曲自在に連結し、この二本のフレーム（２２、２２）の後端部の間に平板（３）を略水平に差し渡して設け、この平板（３）の長手方向中心に設けた穴（７）に回転板（４）の中心に立設した軸（６）を下から嵌めて回動可能に軸支し、この回転板（４）に取り付けた車軸（８）の両端部に車輪（１、１）を回転自在に軸支するか、又は回転板（４）両端部の下方に取り付けた軸受け（５、５）に通した車軸（１８）の両端に車輪（１、１）を固定するか、もしくは回転自在に軸支し、且つ車軸（８又は１８）の進行方向に対する角度を所望の位置に固定するためのストッパー（１０）を配設したことを特徴とするライン引き。
【手続補正２】
【補正対象書類名】明細書
【補正対象項目名】全文
【補正方法】変更
【補正の内容】
【発明の詳細な説明】
【技術分野】
【０００１】
本発明は、グランドに於いてライン引きを使用し、各種競技を行うための白線を引く方法に関するものである。
【背景技術】
【０００２】
グランドにおいて各種競技をする前に、その競技用の白線を引く必要がある。この白線は殆んど直線であるが円や数字や印などを引く場合もある。従来使用している２車輪のライン引きは、人が前方に押しながら白線を引くものである。それは２車輪であるために線を引いている時は、左右に手振れを起こし直線が微妙に曲がるのが普通である。また、４車輪のライン引きも使用されているが、直線専用であり本体が大きく小回りが利き難くいので、円や数字や印を引くには適していない。出願人が先に取得している特許第３５２１０８４号は、ライン引きの両側面にフレームの一方端部を回動自在に軸支し、フレームの他方端部に設けた軸に二個の車輪を回動自在に軸支したライン引きである。このライン引きも直線は引き易いが、円は引き難いと言う問題点がある。
【０００３】
【特許文献１】特許第３５２１０８４号
【発明の開示】
【発明が解決しようとする課題】
【０００４】
競技の準備をする前にライン引きを使用して白線を引くのであるが、ライン引きの箱の中に粉を一杯に入れて粉の出口を閉じた状態では車輪が回転しなくなるので、白線を引く場所まではライン引きを持ち上げて運ばなければならない。そして白線を引く時は計測した巻尺の横を平行に白線を引いて行くのであるが、ライン引きが２車輪であるため手振れをして直線を綺麗に真直ぐ引くことは難しく、巻尺７の上にその粉がのって巻尺を汚すことがよくある。円を引く場合も同様に手振れをして綺麗には引き難いものである。
【０００５】
本発明は、競技前の準備のためグランドにおいて白線を引く場合に、ライン引き本体を運び易くして手振れをすること事無く、簡単に綺麗な直線を引いたり綺麗な円を引いたり出来るようにする事を課題としたものである。
【課題を解決するための手段】
【０００６】
そこで、本発明の請求項１記載のライン引き（以下、本発明１と言う）は、ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を下から嵌めて回動可能に軸支し、この回転板４に取り付けた車軸８の両端部に車輪１、１を回転自在に軸支するか、又は回転板４両端部の下方に取り付けた軸受け５、５に通した車軸１８の両端に車輪１、１を固定するか、もしくは回転自在に軸支し、且つ車軸８又は１８の進行方向に対する角度を所望の位置に固定するためのストッパー１０を配設したことを特徴としている。
【０００７】
本発明１で言う平板３及び回転板４の形状は円形、楕円形、長方形など特に限定するものではなく、また大きさも限定するものではない。そして図５に示すようにストッパー１０としてはレバー又はノブを使用し、軸６としてはボルト２５を取り付けこのボルト２５を締め付けて回転板４を固定することが出来る。また回転板４にナットを取り付けボルト２５付レバーで締め付けることも出来る。一本の車軸８は二本にして回転板４の両端部に取り付けることも出来る。また一本の車軸１８も複数個の軸受け５、５・・・を取り付けることによって二本にすることも出来る。
【０００８】
かかる構成により、図１に示すように本発明１は４車輪のライン引きとして進行方向に真直ぐ進むことが出来る。ライン引き本体両側面１６、１７又は後面１９の下部にフレーム１２、１２を固定して取り付け、このフレーム１２、１２の後端部に、フレーム２２、２２の先端部を屈曲自在に取り付けることによって、ライン引き本体を運ぶ時は図６−１に示すようにライン引き本体を車軸８又は１８の上に乗せることが出来る。ライン引きを置いている時は図１２−２に示すように二本のフレーム２２、２２は屈曲してライン引き本体側に引き寄せることが出来る。またライン引きを方向転換する時は図６−３に示すようにライン引き本体を浮かせて移動することが出来る。そして進行方向に対して回転板４の角度を変えて図４に示しているようにストッパー１０で固定することによって、４車輪のライン引きとして円形の白線を引くことが出来る。
【発明の効果】
【０００９】
本発明１の効果として、図１に示すように本発明１のライン引き本体両側面１６、１７又は後面１９の下部に固定して取り付けたフレーム１２、１２の後端部に、屈曲自在に取り付けたフレーム２２、２２の後端部に回動自在に設けた回転板４に、車輪１、１を車軸１８の両端に固定し、軸受け５、５に回転自在に軸支した場合は直進性のより良い４車輪のライン引きとなり、車輪１、１を車軸８又は１８の両端に回転自在に軸支した場合は、方向転換性の良い４車輪のライン引きとして安定して真直ぐな直線を引くことが出来る。そして平板３に回動自在に軸支した回転板４の角度を変えてストッパー１０で所望に位置に固定することによって、４車輪のライン引きとして様々な大きさの円を引くことが出来る。また粉を入れて重くなったライン引き本体は、図６−１に示すように屈曲したフレーム２２、２２に取り付けた車軸８又は１８の上に乗せてハンドルを引っ張って運ぶことが出来るものであり、ライン引きを置いている時は図６−２に示すように車輪１、１をライン引き本体側に引き寄せて置くことが出来る。また図６−３に示すようにライン引き本体を浮かせて移動することが出来るので、連続して白線を引く時も簡単に方向転換をすることが出来るものである。
【発明を実施するための最良の形態】
【００１０】
ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を下から嵌めて回動可能に軸支し、この回転板４に取り付けた車軸８の両端部に車輪１、１を回転自在に軸支するか、又は回転板４両端部の下方に取り付けた軸受け５、５に通した車軸１８の両端に車輪１、１を固定するか、もしくは回転自在に軸支し、且つ車軸８又は１８の進行方向に対する角度を所望の位置に固定するためのストッパー１０を配設したことである。
【実施例１】
【００１１】
実施の形態の一例として、図１は本発明１のライン引きの斜視図を示している。ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を下から嵌めて回動可能に軸支し、この回転板４に取り付けた車軸８の両端部に車輪１、１を回転自在に軸支するか、又は回転板４両端部の下方に取り付けた軸受け５、５に通した車軸１８の両端に車輪１、１を固定するか、もしくは回転自在に軸支し、且つ車軸８又は１８の進行方向に対する角度を所望の位置に固定するためのストッパー１０を配設したことで構成されている。
【００１２】
図２に示しているのは本発明１のライン引き本体の両側面１６、１７又は後面１９の下部に固定して取り付けたフレーム１２、１２の後端部に、屈曲自在に取り付けたフレーム２２、２２の後端部に回動自在に設けた回転板４の下面に車軸８を固定して取り付け、この車軸８の両端に車輪１、１を回転自在に設けている。また図３に示しているのは回転板４の両端に軸受け５、５を取り付け、この軸受け５、５に車輪１、１を固定するか、もしくは回動自在に設けたものである。
【００１３】
図４はフレーム２、２の下端部に取り付けた平板３の下面に回転自在に設けた回転板４の角度を変えてストッパー１０で固定した状態を示している。固定する方法としては、図５に示すように平板３を回転板４とストッパー１０で挟み、軸６に取り付けたボルト２５をストッパー１０として使用しているレバーで締め付けて回転板４を固定することが出来る。固定することによって一定方向に向いた車輪１、１で綺麗な円を引くことが出来る。
【００１４】
本発明１の屈曲自在に設けたフレーム２２、２２の使用方法は、図６−１に示すように粉を入れて重くなったライン引き本体を屈曲させたフレーム２２、２２の車軸８又は１８の上に乗せてハンドルを引っ張って運ぶことが出来る。ライン引きを置いている時は図６−２に示すようにフレーム２２、２２を屈曲させて車輪１、１をライン引き本体側に引き寄せることが出来る。また連続して白線を引く時は図６−３に示すようにフレーム２２、２２を伸ばした状態でライン引き本体を浮かせて簡単に方向転換することが出来るものである。
【００１５】
実施の形態の一例として、フレーム１２の仕様は厚み３ｍｍ、幅３．２ｃｍ、長さ１５ｃｍの鉄製のフラッバーを使用し、フレーム２２は厚み３ｍｍ、幅３．２ｃｍ、長さ１５ｃｍの鉄製のフラッバーを使用し、フレーム１２とフレーム２２は８ｍｍのシャフトで軸支している。平板３は厚み３ｍｍ、幅３．２ｃｍ、長さ１３ｃｍのフラットバーを使用し、回転板４は厚み３ｍｍ、幅３．２ｃｍ、長さ２４ｃｍのフラットバーを使用し、軸受け５は厚み３ｍｍ、幅３．２ｃｍ、長さ３ｃｍのフラットバーの中心に１０ｍｍの穴を開け回転板４の両端辺に垂直に溶接している。車軸８は直径１０ｍｍ、長さ３２ｃｍのシャフトを使用し、車輪１、１はライン引き本体と同種類のものを取り付けている。軸６は１０ｍｍのボルト２５を取り付け、ストッパー１０は鍋屋バイテック会社NBKのLEF−１０合成樹脂製のレバーで締め付けるようにしている。このように製作したライン引きで直線を引いたところ安定した真直ぐな直線を引くことが出来た。また回転板４の角度を変えてレバーで固定してライン引きを押した場合も綺麗に円を簡単に引くことが出来た。平板３と回転板４に円の大きさを表示する目盛りを付けることによって簡単に同じ大きさの円を引くことも出来た。
【図面の簡単な説明】
【００１６】
【図１】本発明１の実施の形態の一例を示す斜視図である。
【図２】本発明１の背面図である。
【図３】本発明１の背面図である。
【図４】本発明１の使用説明図である。
【図５】本発明１の使用説明図である。
【図６】本発明１の使用説明図である。
【符号の説明】
【００１７】
１    車輪
３    平板
４    回転板
５    軸受け
６    軸    
７    穴  
８    車軸
９    突出部
１０  ストッパー
１２  フレーム
１６  側面
１７  側面
１８  車軸
１９  後面
２２  フレーム
２５  ボルト
【手続補正３】
【補正対象書類名】図面
【補正対象項目名】全図
【補正方法】変更
【補正の内容】
【図１】
2006305027.tif 000018
【図２】
2006305027.tif 000019
【図３】
2006305027.tif 000020
【図４】
2006305027.tif 000021
【図５】
2006305027.tif 000022
【図６】
2006305027.tif 000023